(57)【特許請求の範囲】
【請求項１】
無線基地局装置からコンポーネントキャリア毎に指示された上りリンク信号の送信タイミング情報を受信する受信部と、
同時送信される上りリンク信号の合計送信電力が当該ユーザ端末に定められた最大送信電力を上回る場合に、当該上りリンク信号の合計送信電力が前記最大送信電力を超えないように調整するか、または、当該上りリンク信号の同時送信を回避する判定部と、を具備することを特徴とするユーザ端末。
【請求項２】
前記判定部が、前記複数のコンポーネントキャリアで上りリンクデータチャネル信号が重複する場合に、当該上りリンク信号の合計送信電力が前記ユーザ端末に定められた最大送信電力を超えないように調整することを特徴とする請求項１に記載のユーザ端末。
【請求項３】
前記判定部が、前記複数のコンポーネントキャリアで上りリンクデータチャネル信号と上りリンク制御チャネル信号とが重複する場合に、当該上りリンク信号の合計送信電力が前記ユーザ端末に定められた最大送信電力を超えないように調整することを特徴とする請求項１に記載のユーザ端末。
【請求項４】
前記判定部が、前記複数のコンポーネントキャリアで上りリンクデータチャネル信号または上りリンク制御チャネル信号と上りリンクサウンディング用基準信号とが重複する場合に、前記上りリンクサウンディング用基準信号を欠落することを特徴とする請求項１に記載のユーザ端末。
【請求項５】
前記判定部が、前記複数のコンポーネントキャリアで上りリンクデータチャネル信号または上りリンク制御チャネル信号とランダムアクセスチャネル信号とが重複する場合に、当該上りリンク信号の合計送信電力が前記ユーザ端末に定められた最大送信電力を超えないように前記上りリンクデータチャネル信号または上りリンク制御チャネル信号の送信電力を調整することを特徴とする請求項１に記載のユーザ端末。
【請求項６】
前記判定部が、前記複数のコンポーネントキャリアで上りリンクサウンディング用基準信号とランダムアクセスチャネル信号とが重複する場合に、前記上りリンクサウンディング用基準信号を欠落することを特徴とする請求項１に記載のユーザ端末。
【請求項７】
前記判定部は、第１セルのサブフレームＮ−１における上りリンクサウンディング用基準信号と、第２セルのサブフレームＮにおける上りリンクデータチャネル信号の送信タイミングが重複し、上りリンク信号の合計送信電力がユーザ端末に定められた最大送信電力を上回る場合に、前記上りリンクサウンディング用基準信号を欠落するように送信を制御することを特徴とする請求項１に記載のユーザ端末。
【請求項８】
前記第１のセルと前記第２のセルがそれぞれ異なるＴＡＧに属することを特徴とする請求項７に記載のユーザ端末。
【請求項９】
コンポーネントキャリア毎に上りリンク信号の送信タイミング情報を指示する無線基地局装置と、前記無線基地局装置から指示された送信タイミング情報を含む情報に基づいて上りリンク信号を送信するユーザ端末とを具備する無線通信システムであって、
前記無線基地局装置は、複数のコンポーネントキャリアで異なる送信タイミング情報を指示し、
前記ユーザ端末は、同時送信される上りリンク信号の合計送信電力が当該ユーザ端末に定められた最大送信電力を上回る場合に、当該上りリンク信号の合計送信電力が前記最大送信電力を超えないように調整するか、または、当該上りリンク信号の同時送信を回避する判定部を具備することを特徴とする無線通信システム。
【請求項１０】
前記ユーザ端末は、第１セルのサブフレームＮ−１における上りリンクサウンディング用基準信号と、第２セルのサブフレームＮにおける上りリンクデータチャネル信号の送信タイミングが重複し、上りリンク信号の合計送信電力がユーザ端末に定められた最大送信電力を上回る場合に、前記上りリンクサウンディング用基準信号を欠落するように送信を制御することを特徴とする請求項９に記載の無線通信システム。
【請求項１１】
コンポーネントキャリア毎に上りリンク信号の送信タイミング情報を指示する無線基地局装置と、前記無線基地局装置から指示された送信タイミング情報を含む情報に基づいて設定される送信タイミングで上りリンク信号を送信するユーザ端末とを具備する無線通信方法であって、
前記無線基地局装置から、複数のコンポーネントキャリアで異なる送信タイミング情報を指示するステップと、前記ユーザ端末において、同時送信される上りリンク信号の合計送信電力が当該ユーザ端末に定められた最大送信電力を上回る場合に、当該上りリンク信号の合計送信電力が前記最大送信電力を超えないように調整するか、または、当該上りリンク信号の同時送信を回避するステップと、を具備することを特徴とする無線通信方法。
【請求項１２】
前記ユーザ端末は、第１セルのサブフレームＮ−１における上りリンクサウンディング用基準信号と、第２セルのサブフレームＮにおける上りリンクデータチャネル信号の送信タイミングが重複し、上りリンク信号の合計送信電力がユーザ端末に定められた最大送信電力を上回る場合に、前記上りリンクサウンディング用基準信号を欠落するように送信を制御することを特徴とする請求項１１に記載の無線通信方法。
【発明の詳細な説明】
【技術分野】
【０００１】
本発明は、無線通信システム、ユーザ端末及び無線通信方法に関し、特に、上りリンクでマルチキャリアを用いた同時送信を可能とする無線通信システム、ユーザ端末及び無線通信方法に関する。
【背景技術】
【０００２】
ＵＭＴＳ（Universal  Mobile  Telecommunications  System）ネットワークにおいては、周波数利用効率及びピークデータレートの向上などを目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband  Code  Division  Multiple  Access）をベースとしたシステムの特徴を最大限に引き出すことが行われている。このＵＭＴＳネットワークについては、更なる周波数利用効率及びピークデータレートの向上、遅延の低減などを目的としてロングタームエボリューション（ＬＴＥ:Long  Term  Evolution）が検討されている（非特許文献１）。
【０００３】
Release−8  ＬＴＥ（以下、Ｒｅｌ．８−ＬＴＥという）ではＷ−ＣＤＭＡとは異なり、無線アクセス方式として、下り回線（下りリンク）については直交周波数分割多重接続(ＯＦＤＭＡ：Orthogonal  Frequency  Division  Multiplexing  Access）をベースとした方式を用いる。一方、上り回線（上りリンク）についてはシングルキャリア周波数分割多重接続（ＳＣ−ＦＤＭＡ：Single−Carrier  Frequency  Division  Multiple  Access）をベースとした方式を用いている。
【０００４】
ＯＦＤＭＡ方式は、周波数帯域を複数の狭い周波数帯域（サブキャリア）に分割し、各サブキャリアにデータを載せて伝送を行うマルチキャリア伝送方式である。このＯＦＤＭＡ方式においては、サブキャリアを周波数軸上に直交させながら密に並べることで高速伝送を実現し、周波数の利用効率を上げることが期待できる。
【０００５】
ＳＣ−ＦＤＭＡ方式は、周波数帯域を端末毎に分割し、複数の端末間で異なる周波数帯域を用いて伝送するシングルキャリア伝送方式である。このＳＣ−ＦＤＭＡ方式においては、端末間の干渉を簡易且つ効果的に低減することができることに加えて送信電力の変動を小さくできるので、この方式は端末の低消費電力化及びカバレッジの拡大等の観点から好ましい。
【０００６】
上述したＬＴＥ（Ｒｅｌ．８−ＬＴＥ）方式のシステム（ＬＴＥシステム）においては、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【０００７】
ＬＴＥ−Ａ方式のシステム（ＬＴＥ−Ａシステム）では、更なる周波数利用効率及びピークスループットなどの向上を目標とし、ＬＴＥよりも広帯域な周波数の割当てが検討されている。また、ＬＴＥ−Ａ（例えば、Ｒｅｌ．１０）では、ＬＴＥとの後方互換性（Backward  compatibility）を持つことが一つの要求条件となっている。このため、ＬＴＥ−Ａでは、ＬＴＥが使用可能な帯域幅を有する基本周波数ブロック（コンポーネントキャリア(ＣＣ:Component  Carrier）)を複数有する送信帯域を同時に用いて通信を行う技術（キャリアアグリゲーション（ＣＡ）技術）が導入されている。
【先行技術文献】
【非特許文献】
【０００８】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００９】
ところで、ＬＴＥ−Ａシステムの上りリンクの無線アクセス方式においては、上述したＳＣ−ＦＤＭＡをクラスタ化するＣｌｕｓｔｅｒｅｄ  ＤＦＴＳ（Discrete  Fourier  Transform  Spread）−ＯＦＤＭＡをベースとした方式を用いることができる。このＣｌｕｓｔｅｒｅｄ  ＤＦＴＳ−ＯＦＤＭＡ方式は、連続しないサブキャリアに対するＤＦＴ出力の割り当てを許容するマルチキャリア伝送方式である。このＣｌｕｓｔｅｒｅｄ  ＤＦＴＳ−ＯＦＤＭＡ方式においては、不連続のサブキャリアへのＤＦＴ出力の割り当てを許容することにより、ＰＡＰＲ（Peak-to-Average  Power  Ratio）は増大するものの、周波数領域スケジューリング効果の増大を図ることができる。このようなＣｌｕｓｔｅｒｅｄ  ＤＦＴＳ−ＯＦＤＭＡ方式を用いることにより、ＬＴＥ−Ａシステムの上りリンクにおいては、マルチキャリアを用いた同時送信が許容される。
【００１０】
また、ＬＴＥ−Ａシステム（例えば、Ｒｅｌ．１１）においては、上りリンクにおける送信タイミングを補正するパラメータ（より具体的には、ＴＡ：Timing  Advance）として、複数の送信タイミングを制御可能とするｍｕｌｔｉｐｌｅ  ＴＡＧ（Timing  Advance  Group）が検討されている。このｍｕｌｔｉｐｌｅ  ＴＡＧを利用することにより、Ｒｅｌ．１１−ＬＴＥで運用されるキャリアアグリゲーションでは、複数のコンポーネントキャリア（ＣＣ）にて異なる送信タイミングで上りリンク信号の送信が可能となる。このため、上述したマルチキャリアを用いた同時送信においては、送信タイミングの異なるコンポーネントキャリアを考慮する必要がある。
【００１１】
本発明は、かかる点に鑑みてなされたものであり、複数のコンポーネントキャリアにて異なる送信タイミングで上りリンク信号の送信が指示される場合であっても、ユーザ端末の安定した動作を確保することができる無線通信システム、ユーザ端末及び無線通信方法を提供することを目的とする。
【課題を解決するための手段】
【００１２】
本発明に係る無線通信システムは、コンポーネントキャリア毎に上りリンク信号の送信タイミング情報を指示する無線基地局装置と、前記無線基地局装置から指示された送信タイミング情報を含む情報に基づいて上りリンク信号を送信するユーザ端末とを具備する無線通信システムであって、前記無線基地局装置は、複数のコンポーネントキャリアで異なる送信タイミング情報を指示し、前記ユーザ端末は、同時送信される上りリンク信号の合計送信電力が当該ユーザ端末に定められた最大送信電力を上回る場合に、当該上りリンク信号の合計送信電力が前記最大送信電力を超えないように調整するか、または、当該上りリンク信号の同時送信を回避する判定部を具備することを特徴とする。
【００１３】
本発明に係るユーザ端末は、無線基地局装置からコンポーネントキャリア毎に指示された上りリンク信号の送信タイミング情報を受信する受信部と、同時送信される上りリンク信号の合計送信電力が当該ユーザ端末に定められた最大送信電力を上回る場合に、当該上りリンク信号の合計送信電力が前記最大送信電力を超えないように調整するか、または、当該上りリンク信号の同時送信を回避する判定部と、を具備することを特徴とする。
【００１４】
本発明に係る無線通信方法は、コンポーネントキャリア毎に上りリンク信号の送信タイミング情報を指示する無線基地局装置と、前記無線基地局装置から指示された送信タイミング情報を含む情報に基づいて設定される送信タイミングで上りリンク信号を送信するユーザ端末とを具備する無線通信方法であって、前記無線基地局装置から、複数のコンポーネントキャリアで異なる送信タイミング情報を指示するステップと、前記ユーザ端末において、同時送信される上りリンク信号の合計送信電力が当該ユーザ端末に定められた最大送信電力を上回る場合に、当該上りリンク信号の合計送信電力が前記最大送信電力を超えないように調整するか、または、当該上りリンク信号の同時送信を回避するステップと、を具備することを特徴とする。
【発明の効果】
【００１５】
本発明によれば、複数のコンポーネントキャリアにて異なる送信タイミングで上りリンク信号が送信される場合であっても、ユーザ端末の安定した動作を確保することが可能となる。
【図面の簡単な説明】
【００１６】
【図１】Ｒｅｌ．１０−ＬＴＥ及びＲｅｌ．１１−ＬＴＥのキャリアアグリゲーションにおけるユーザ端末の送信タイミングの説明図である。
【図２】Ｒｅｌ．１１−ＬＴＥのキャリアアグリゲーションにおけるユーザ端末の送信タイミングの説明図である。
【図３】Ｃｏｎｔｉｇｕｏｕｓ  ＣＡで同時送信が行われる場合における送信電力の推移の説明図である。
【図４】本発明に係る無線通信方法で利用されるユーザ端末の動作を定めたテーブルの一例を示す図である。
【図５】複数のＣＣのサブフレーム間でＰＵＳＣＨが重複する場合のＵＥ動作の説明図である。
【図６】ｍａｘ  ｐｏｗｅｒ  ｓｃａｌｉｎｇの一例を示す図である。
【図７】複数のＣＣのサブフレーム間でＰＵＳＣＨとＰＵＣＣＨとが重複する場合のＵＥ動作の説明図である。
【図８】複数のＣＣのサブフレーム間でＳＲＳとＰＵＳＣＨとが重複する場合のＵＥ動作の説明図である。
【図９】複数のＣＣのサブフレーム間でＰＲＡＣＨとＰＵＳＣＨとが重複する場合のＵＥ動作の説明図である。
【図１０】複数のＣＣのサブフレーム間でＰＵＣＣＨとＳＲＳとが重複する場合のＵＥ動作の説明図である。
【図１１】複数のＣＣのサブフレーム間でＰＵＣＣＨとＰＲＡＣＨとが重複する場合のＵＥ動作の説明図である。
【図１２】複数のＣＣのサブフレーム間でＳＲＳとＰＲＡＣＨとが重複する場合のＵＥ動作の説明図である。
【図１３】本発明に係る無線通信方法が適用される無線通信システムの構成の説明図である。
【図１４】本発明の実施の形態に係る無線基地局装置の概略構成を示すブロック図である。
【図１５】図１４に示す無線基地局装置におけるベースバンド信号処理部の構成を示すブロック図である。
【図１６】本発明の実施の形態に係る移動端末装置の概略構成を示すブロック図である。
【図１７】図１６に示す移動端末装置におけるベースバンド信号処理部の構成を示すブロック図である。
【発明を実施するための形態】
【００１７】
上述のように、ＬＴＥ（Ｒｅｌ．８−ＬＴＥ）において、上りリンクにおける無線アクセス方式は、ＤＦＴＳ−ＯＦＤＭＡ方式をベースとする。このため、ユーザ端末ＵＥ間における信号の直交性を保つために、無線基地局装置（基地局装置）ｅＮＢにおける各ユーザ端末ＵＥからの上り信号の受信タイミングを合わせる必要がある。ＬＴＥにおいては、このようなユーザ端末ＵＥの送信タイミングを調整するためにＴＡ（Timing  Advance）制御を導入している。
【００１８】
Ｒｅｌ．８−ＬＴＥにおいては、ユーザ端末ＵＥが上りリンクに用いるコンポーネントキャリア（ＣＣ）が１つであるため、ユーザ端末ＵＥ毎に１つのＴＡを制御すれば十分である。これに対し、上りリンクでのキャリアアグリゲーション（ＣＡ）の導入が予定されるＬＴＥ−Ａ（Ｒｅｌ．１０−ＬＴＥ）においては、ユーザ端末ＵＥに設定する上りリンクのＣＣ毎（或いは、ＣＣのセット毎）にＴＡを制御（すなわち、送信タイミングを制御）する必要がある。
【００１９】
但し、Ｒｅｌ．１０−ＬＴＥにおける上りリンクのＣＡでは、対象となるＣＣを、連続する帯域（ｉｎｔｒａ−ｂａｎｄ）内のＣＣに限定しているため、ＣＣ毎のＴＡ制御はサポートされていない。一方、Ｒｅｌ．１１−ＬＴＥにおいては、このようなＣＣ毎のＴＡ制御を実現するために、上りリンクにおける送信タイミングを調整するＴＡに関し、複数の送信タイミングを制御可能とするｍｕｌｔｉｐｌｅ  ＴＡＧの導入が検討されている。
【００２０】
以下、Ｒｅｌ．１０−ＬＴＥ及びＲｅｌ．１１−ＬＴＥのＣＡにおけるユーザ端末ＵＥの送信タイミングについて説明する。図１Ａ及び図１Ｂは、それぞれＲｅｌ．１０−ＬＴＥ及びＲｅｌ．１１−ＬＴＥのＣＡにおけるユーザ端末ＵＥの送信タイミングの説明図である。なお、図１においては、２つのＣＣ＃１、ＣＣ＃２を用いてユーザ端末ＵＥが上りリンク信号を送信する場合について示している。
【００２１】
Ｒｅｌ．１０−ＬＴＥのＣＡにおいては、上述のように、対象とするＣＣを、連続する帯域（ｉｎｔｒａ−ｂａｎｄ）内のＣＣに限定し、ＣＣ毎のＴＡ制御をサポートしていないため、ユーザ端末ＵＥの送信タイミングは、図１Ａに示すように、ＣＣに関わらず同一に設定される。一方、Ｒｅｌ．１１−ＬＴＥのＣＡにおいては、不連続の帯域（ｉｎｔｅｒ−ｂａｎｄ）のＣＣを用いたＣＡや、マクロセル及びＲＲＨ（Remote  Radio  Head）セル間のＣＡにも対応することから、任意のＣＣに異なる（又は同一の）ＴＡを設定することが検討されている。この場合、ユーザ端末ＵＥの送信タイミングは、図１Ｂに示すように、異なるＣＣ間で異なる送信タイミングに設定される。
【００２２】
例えば、不連続の帯域（ｉｎｔｅｒ−ｂａｎｄ）のＣＣにおいては、各ＣＣにおける周波数特性が異なることから、最適なタイミングでの受信のために、ユーザ端末ＵＥの送信タイミングを各ＣＣで個別に制御する必要が生じる。一方、マクロセルとＲＲＨセルとの間でＣＡを行う際には、アンテナの位置（より具体的には、アンテナの受信端）が異なるため、ユーザ端末ＵＥの送信タイミングを各セルで個別に制御する必要が生じる。Ｒｅｌ．１１−ＬＴＥのＣＡにおいては、このような環境下におけるＣＡもサポートすべく、異なるＣＣ間で異なる送信タイミングにおけるユーザ端末ＵＥからの上りリンク信号の送信を可能とする。
【００２３】
一方、Ｒｅｌ．１０−ＬＴＥの上りリンクにおいては、Ｃｌｕｓｔｅｒｅｄ  ＤＦＴＳ−ＯＦＤＭＡ方式を用いることにより、マルチキャリアを用いた同時送信が許容される。なお、このようなマルチキャリアを用いた同時送信は、必要性の観点から、一部の上りリンクチャネル間の同時送信に限定されている。具体的には、１）ＰＵＳＣＨ（Physical  Uplink  Shared  Channel）とＰＵＳＣＨとの同時送信（ＳＲＳ（Sounding  Reference  Signal）とＳＲＳとの同時送信を含む）、２）ＰＵＣＣＨ（Physical  Uplink  Control  Channel）とＰＵＳＣＨとの同時送信に限定されている。ＰＵＳＣＨとＳＲＳとの同時送信やＰＵＣＣＨとＳＲＳとの同時送信など、他の上りリンクチャネル（上りリンク信号）間の同時送信はサポートされていない。
【００２４】
しかしながら、Ｒｅｌ．１１−ＬＴＥのＣＡにおいては、ｍｕｌｔｉｐｌｅ  ＴＡＧの導入に伴い、図２Ａに示すように、ＣＣ間のサブフレームの一部が重複する事態が発生し得る。図２Ａにおいては、ＣＣ＃１（ＴＡＧ＃１で送信タイミングが指定されたＣＣ）における送信タイミングが、ＣＣ＃２（ＴＡＧ＃２で送信タイミングが指定されたＣＣ）の送信タイミングよりも遅れて設定された場合について示している。この場合、ＣＣ＃１におけるサブフレーム＃１（サブフレーム＃２）の後端部分における信号と、ＣＣ＃２におけるサブフレーム＃２（サブフレーム＃３）の前端部分における信号とに重複する区間が発生する。なお、重複する区間として、例えば、１ＳＣ‐ＦＤＭＡシンボルが想定される。
【００２５】
ＣＣ間の異なるサブフレームの一部が重複する場合、Ｒｅｌ．１０−ＬＴＥでサポートされていない上りリンクチャネル間の同時送信の発生が想定される。例えば、図２Ｂに示すように、ＣＣ＃１におけるサブフレーム＃１の後端部分に割り当てられるＳＲＳと、ＣＣ＃２におけるサブフレーム＃２の前端部分に割り当てられるＰＵＳＣＨとの同時送信の発生が想定される。また、図２Ｂに示すように、ＣＣ＃１におけるサブフレーム＃２の後端部分に割り当てられるＰＵＳＣＨと、ＣＣ＃２におけるサブフレーム＃３の前端部分に割り当てられるＰＵＣＣＨとの同時送信の発生が想定される。
【００２６】
このような上りリンクチャネル間の同時送信の発生は、ユーザ端末ＵＥにおける動作を混乱させるだけでなく、上りリンク信号の送信を不能とする事態を招き得る。本発明者らは、このような上りリンクチャネル間の同時送信を可能な限り回避する一方、想定される上りリンクチャネル間の同時送信に対応するユーザ端末ＵＥの制御を予め定めておくことが、ユーザ端末ＵＥの安定した動作の確保に寄与する点に着目し、本発明に至った。
【００２７】
本発明の骨子は、基地局装置ｅＮＢから、複数のコンポーネントキャリアで上りリンク信号の異なる送信タイミング情報を受信した場合でも、連続する複数のコンポーネントキャリアを用いた通信が行われる場合にはユーザ端末ＵＥからの上りリンク信号の同時送信を回避することにより、ユーザ端末ＵＥにおける安定した動作を確保するものである。一方、不連続の複数のコンポーネントキャリアを用いた通信が行われる場合には、ユーザ端末ＵＥの安定した動作を阻害しない範囲で上りリンク信号の同時送信を許容することにより、上りリンクにおけるスループット特性の向上に寄与するものである。
【００２８】
一般に、ＣＡは、Ｉｎｔｒａ‐ｂａｎｄ  Ｃｏｎｔｉｇｕｏｕｓ  ＣＡ（以下、単にＣｏｎｔｉｇｕｏｕｓ  ＣＡという）と、Ｉｎｔｅｒ‐ｂａｎｄ  Ｎｏｎ‐Ｃｏｎｔｉｇｕｏｕｓ  ＣＡ（以下、単にＮｏｎ‐Ｃｏｎｔｉｇｕｏｕｓ  ＣＡという）とに分けられる。前者は、２０ＭＨｚよりも大きい連続する帯域でＣＡを行うものであり、例えば、３．５ＧＨｚ帯のような広帯域の割り当てが行われる場合に適用される。後者は、異なる周波数バンドのキャリアを複数用いて通信を行うものであり、例えば、２ＧＨｚ帯と８００ＭＨｚ帯の２つのキャリアを用いて通信を行う場合に適用される。また、前者においては、単一のＲＦ(Radio  Frequency)ユニットを用いて広帯域通信が行われる一方、後者においては、複数のＲＦユニットを用いて広帯域通信が行われる。なお、Ｃｏｎｔｉｇｕｏｕｓ  ＣＡは、Ｃｏｎｔｉｇｕｏｕｓ送信と呼ぶことができ、Ｎｏｎ‐Ｃｏｎｔｉｇｕｏｕｓ  ＣＡは、Ｎｏｎ‐Ｃｏｎｔｉｇｕｏｕｓ送信と呼ぶことができる。
【００２９】
Ｃｏｎｔｉｇｕｏｕｓ  ＣＡにおいては、図３に示すように、同時送信される上りリンク信号がサブフレーム内で変更されると、これに伴って送信電力が変動する。この変動区間は、一般にｔｒａｎｓｉｅｎｔ  ｐｅｒｉｏｄと呼ばれる。このｔｒａｎｓｉｅｎｔ  ｐｅｒｉｏｄが同一サブフレーム内で発生すると、例えば、基地局装置ｅＮＢにおける信号の復調精度が劣化するなどの問題が発生する恐れがある。このようなサブフレーム内における送信電力の変動を回避すべく、本発明に係る無線通信方法においては、Ｃｏｎｔｉｇｕｏｕｓ  ＣＡでＣＣ間のサブフレームで重複が発生した場合に同時送信を回避する。
【００３０】
一方で、Ｎｏｎ‐Ｃｏｎｔｉｇｕｏｕｓ  ＣＡでは、送信電力の制御は基本的にＣＣ単位で、サブフレーム間で行われることから、サブフレーム内で送信電力が変動することはない。このため、本発明に係る無線通信方法においては、Ｎｏｎ‐Ｃｏｎｔｉｇｕｏｕｓ  ＣＡでＣＣ間のサブフレームで重複が発生した場合に同時送信を許容する。
【００３１】
但し、同時送信時に必要となる合計の送信電力がユーザ端末ＵＥにおける最大送信電力を上回る場合には、サブフレーム内において送信電力の変動区間（すなわち、ｔｒａｎｓｉｅｎｔ  ｐｅｒｉｏｄ）が発生し得る。この場合、本発明に係る無線通信方法においては、Ｃｏｎｔｉｇｕｏｕｓ  ＣＡと同様に、同時送信を回避し、或いは、サブフレーム内の合計の送信電力が最大送信電力よりも低い一定の送信電力値になるように調整する。なお、一定の送信電力値になるように調整する手法としては、後述するｍａｘ  ｐｏｗｅｒ  ｓｃａｌｉｎｇを行う場合において、同時送信で用いられる送信電力のうち、高い方の送信電力を低い方の送信電力に合わせることでサブフレーム内の送信電力を一定とする手法が考えられる。
【００３２】
図４は、本発明に係る無線通信方法で利用されるユーザ端末ＵＥの動作を定めたテーブルの一例を示す図である。図４においては、異なる送信タイミングが設定される複数（ここでは、２つ）のＣＣの各サブフレーム間で同時送信が指示された上りリンクチャネルと、これらの上りリンクチャネルの組み合わせに応じたユーザ端末ＵＥの動作（以下、ＵＥ動作という）とが定められている。
【００３３】
より具体的には、早い送信タイミングが設定されるＣＣ（例えば、図２に示すＣＣ＃２）のサブフレームＮで送信が指示される上りリンクチャネルと、遅い送信タイミングが設定されるＣＣ（例えば、図２に示すＣＣ＃１）のサブフレームＮ−１で送信が指示される上りリンクチャネルと、これらの上りリンクチャネルの組み合わせに応じたＵＥ動作とが定められている。なお、図４に示すテーブルには、説明の便宜上、双方のＣＣで指示される上りリンクチャネルの種別に応じて番号を付与している。以下、図４に示すテーブルに定めた各ＵＥ動作について説明する。
【００３４】
まず、複数のＣＣのサブフレーム間でＰＵＳＣＨが重複する場合のＵＥ動作について説明する（図４に示す番号１）。図５は、複数のＣＣ（ＣＣ＃１、ＣＣ＃２）のサブフレーム間でＰＵＳＣＨが重複する場合のＵＥ動作の説明図である。特に、図５は、送信タイミングが遅いＣＣ＃１のサブフレームＮ−１及び送信タイミングが早いＣＣ＃２のサブフレームＮの双方でＰＵＳＣＨの送信が指示される場合のＵＥ動作を示している。図５においては、ＣＣ＃１のサブフレームＮ−１に割り当てられたＰＵＳＣＨの後端部分と、ＣＣ＃２のサブフレームＮに割り当てられたＰＵＳＣＨの前端部分とが重複する場合について示している。
【００３５】
図５に示す送信タイミングが設定された場合のＵＥ動作として、図４に示すテーブルにおいては、セカンダリセル（ＳＣｅｌｌ）に割り当てられたＰＵＳＣＨに関し、１）レートマッチングする内容（ＳＣｅｌｌ  ＰＵＳＣＨ  ｒａｔｅ  ｍａｔｃｈｉｎｇ）、２）パンクチャリングする内容（ＳＣｅｌｌ  ＰＵＳＣＨ  ｐｕｎｃｔｕｒｅ）、３）送信を省略する内容（ＳＣｅｌｌ  ＰＵＳＣＨ  ｄｒｏｐ）が定められている。これらのＵＥ動作は、図５に示すＣＣを用いてＣｏｎｔｉｇｕｏｕｓ  ＣＡが行われる場合に選択される。さらに、４）同時送信を許容する内容（同時送信）が定められている。このＵＥ動作は、図５に示すＣＣを用いてＮｏｎ‐Ｃｏｎｔｉｇｕｏｕｓ  ＣＡが行われる場合に選択される。
【００３６】
図５に示すＣＣを用いてＣｏｎｔｉｇｕｏｕｓ  ＣＡが行われる場合を想定する。例えば、プライマリセル（ＰＣｅｌｌ）における送信タイミングが遅い場合（すなわち、ＣＣ＃１にプライマリセルが対応する場合）、本発明に係る無線通信方法においては、セカンダリセルに対応するＣＣ＃２のサブフレームＮのＰＵＳＣＨの前端部分におけるレートマッチングやパンクチャリング、或いは、ＰＵＳＣＨ自体の送信省略（ドロップ）を選択できる。逆に、プライマリセル（ＰＣｅｌｌ）における送信タイミングが早い場合（すなわち、ＣＣ＃２にプライマリセルが対応する場合）には、セカンダリセルに対応するＣＣ＃１のサブフレームＮのＰＵＳＣＨの後端部分におけるレートマッチングやパンクチャリング、或いは、ＰＵＳＣＨ自体の送信省略（ドロップ）を選択できる。これにより、プライマリセルとセカンダリセルとの間で送信タイミングが重複する部分に関して、プライマリセルにおけるＰＵＳＣＨをそのまま送信する一方、セカンダリセルにおけるＰＵＳＣＨを重複しないように制御することができ、確実に同時送信を回避することが可能となる。
【００３７】
なお、ここでは、ユーザ端末ＵＥから送信される情報の重要度を考慮し、プライマリセルにおける情報伝送を優先し、セカンダリセルにおける情報伝送を制御している。仮に、情報伝送にプライマリセルが含まれていない場合（すなわち、セカンダリセルのみで情報伝送が行われる場合）、上りリンク制御情報（ＵＣＩ：Uplink  Control  Information）が含まれているＣＣを優先するようにしてもよい。さらに、セカンダリセルにＵＣＩが含まれていない場合、プライマリセルの同一のＴＡＧが設定されたセカンダリセルを優先するようにしてもよい。
【００３８】
一方、図５に示すＣＣを用いてＮｏｎ‐Ｃｏｎｔｉｇｕｏｕｓ  ＣＡが行われる場合には、本発明に係る無線通信方法においては、ＣＣ＃１及びＣＣ＃２におけるＰＵＳＣＨの同時送信を選択できる。但し、同時送信を行う場合において、ｍａｘ  ｐｏｗｅｒ  ｓｃａｌｉｎｇが必要となる場合、本発明に係る無線通信方法においては、規定のpower  scaling  ruleに従い、いずれかあるいは双方のＰＵＳＣＨの送信電力を低減し、同時送信に伴う合計の送信電力を、ユーザ端末ＵＥの最大送信電力を下回る一定の送信電力値に調整する。このとき、調整後の送信電力を送信タイミングが重複していない区間にも適用しサブフレーム内の送信電力を一定とすることにより、同一サブフレーム内でｔｒａｎｓｉｅｎｔ  ｐｅｒｉｏｄが発生する事態を確実に防止できる。
【００３９】
ここで、ｍａｘ  ｐｏｗｅｒ  ｓｃａｌｉｎｇとは、情報伝送（ここでは、ＰＵＳＣＨ送信）に必要となる合計の送信電力がユーザ端末ＵＥにおける最大送信電力を上回る場合に一定の基準に従って送信電力を低減し、最大送信電力条件を満たすようにする制御をいう。図６は、このｍａｘ  ｐｏｗｅｒ  ｓｃａｌｉｎｇの一例を示す図である。図６においては、２つのＣＣ＃１、ＣＣ＃２を用いてＰＵＳＣＨの同時送信を行う場合について示している。なお、図６においては、横軸に周波数を示し、縦軸に送信電力を示している。
【００４０】
図６においては、ＣＣ＃２に割り当てられたＰＵＳＣＨの送信電力が、ＣＣ＃１に割り当てられたＰＵＳＣＨの送信電力よりも低い。なお、これらのＰＵＳＣＨの送信に必要となる合計の送信電力は、ユーザ端末ＵＥにおける最大送信電力を上回るものとする。この場合、本発明に係る無線通信方法においては、例えばＣＣ＃２に割り当てられたＰＵＳＣＨの送信電力は変えずにＣＣ＃１に割り当てられたＰＵＳＣＨの送信電力を低減し、低減後のＣＣ＃１のＰＵＳＣＨの送信電力にサブフレーム内全体のレベルを合わせて、ＣＣ＃１のＰＵＳＣＨの送信電力値を一定とする。
【００４１】
特に、本発明に係る無線通信方法においては、以下の（式１）が成立するように、ｍａｘ  ｐｏｗｅｒ  ｓｃａｌｉｎｇを行う。
（式１）
ＰＰＵＳＣＨ＿ｆｏｒＣＣ＃１＋ＰＰＵＳＣＨ＿ｆｏｒＣＣ＃２≦Ｐｃｍａｘ
ここで、ＰＰＵＳＣＨ＿ｆｏｒＣＣ＃１、ＰＰＵＳＣＨ＿ｆｏｒＣＣ＃２は、それぞれＣＣ＃１、ＣＣ＃２で送信されるＰＵＳＣＨの送信電力を示す。また、Ｐｃｍａｘは、ユーザ端末ＵＥにおける最大送信電力を示す。
【００４２】
次に、複数のＣＣのサブフレーム間でＰＵＳＣＨとＰＵＣＣＨとが重複する場合のＵＥ動作について説明する（図４に示す番号２（２Ａ、２Ｂ））。図７は、複数のＣＣ（ＣＣ＃１、ＣＣ＃２）のサブフレーム間でＰＵＳＣＨとＰＵＣＣＨとが重複する場合のＵＥ動作の説明図である。特に、図７Ａは、送信タイミングが遅いＣＣ＃１のサブフレームＮ−１でＰＵＣＣＨの送信が指示され、送信タイミングが早いＣＣ＃２のサブフレームＮでＰＵＳＣＨの送信が指示される場合について示している。また、図７Ｂは、送信タイミングが遅いＣＣ＃１のサブフレームＮ−１でＰＵＳＣＨの送信が指示され、送信タイミングが早いＣＣ＃２のサブフレームＮでＰＵＣＣＨの送信が指示される場合について示している。図７Ａにおいては、ＣＣ＃１のサブフレームＮ−１に割り当てられたＰＵＣＣＨの後端部分と、ＣＣ＃２のサブフレームＮに割り当てられたＰＵＳＣＨの前端部分とが重複する場合について示している。図７Ｂにおいては、ＣＣ＃１のサブフレームＮ−１に割り当てられたＰＵＳＣＨの後端部分と、ＣＣ＃２のサブフレームＮに割り当てられたＰＵＣＣＨの前端部分とが重複する場合について示している。
【００４３】
図７に示す送信タイミングが設定された場合のＵＥ動作として、図４に示すテーブルにおいては、セカンダリセル（ＳＣｅｌｌ）に割り当てられたＰＵＳＣＨに関し、１）レートマッチングする内容（ＰＵＳＣＨ  ｒａｔｅ  ｍａｔｃｈｉｎｇ）、２）パンクチャリングする内容（ＰＵＳＣＨ  ｐｕｎｃｔｕｒｅ）、３）送信を省略する内容（ＰＵＳＣＨ  ｄｒｏｐ）が定められている。これらのＵＥ動作は、図７に示すＣＣを用いてＣｏｎｔｉｇｕｏｕｓ  ＣＡが行われる場合に選択される。さらに、４）同時送信を許容する内容（同時送信）が定められている。このＵＥ動作は、図７に示すＣＣを用いてＮｏｎ‐Ｃｏｎｔｉｇｕｏｕｓ  ＣＡが行われる場合に選択される。なお、ＰＵＣＣＨは、常にプライマリセルで送信されることから、図４においては、セカンダリセル（ＳＣｅｌｌ）の表記を省略している。
【００４４】
図７に示すＣＣを用いてＣｏｎｔｉｇｕｏｕｓ  ＣＡが行われる場合を想定する。例えば、図７Ａに示すように、プライマリセル（ＰＣｅｌｌ）における送信タイミングが遅い場合（すなわち、ＣＣ＃１にプライマリセルが対応する場合）、本発明に係る無線通信方法においては、セカンダリセルに対応するＣＣ＃２のサブフレームＮのＰＵＳＣＨの前端部分におけるレートマッチングやパンクチャリング、或いは、ＰＵＳＣＨ自体の送信省略（ドロップ）を選択できる。逆に、図７Ｂに示すように、プライマリセル（ＰＣｅｌｌ）における送信タイミングが早い場合（すなわち、ＣＣ＃２にプライマリセルが対応する場合）には、セカンダリセルに対応するＣＣ＃１のサブフレームＮのＰＵＳＣＨの後端部分におけるレートマッチングやパンクチャリング、或いは、ＰＵＳＣＨ自体の送信省略（ドロップ）を選択できる。これにより、プライマリセルとセカンダリセルとの間で送信タイミングが重複する部分に関して、プライマリセルにおけるＰＵＣＣＨをそのまま送信する一方、セカンダリセルにおけるＰＵＳＣＨを重複しないように制御することができ、確実に同時送信を回避することが可能となる。
【００４５】
一方、図７に示すＣＣを用いてＮｏｎ‐Ｃｏｎｔｉｇｕｏｕｓ  ＣＡが行われる場合、本発明に係る無線通信方法においては、ＣＣ＃１及びＣＣ＃２におけるＰＵＳＣＨ及びＰＵＣＣＨの同時送信を選択できる。なお、同時送信を行う場合において、ｍａｘ  ｐｏｗｅｒ  ｓｃａｌｉｎｇが必要となる場合における制御については、規定のルールに従いＰＵＳＣＨの送信電力が調整される。具体的には、最大送信電力を満たすようにＰＵＳＣＨの送信電力を低減し、低減後の送信電力にてサブフレーム内の送信電力を一定とする。このようにサブフレーム内の送信電力を一定とすることにより、同一サブフレーム内でｔｒａｎｓｉｅｎｔ  ｐｅｒｉｏｄが発生する事態を確実に防止できる。
【００４６】
次に、複数のＣＣのサブフレーム間でＳＲＳとＰＵＳＣＨとが重複する場合のＵＥ動作について説明する（図４に示す番号３）。図８は、複数のＣＣ（ＣＣ＃１、ＣＣ＃２）のサブフレーム間でＳＲＳとＰＵＳＣＨとが重複する場合のＵＥ動作の説明図である。特に、図８Ａは、送信タイミングが遅いＣＣ＃１のサブフレームＮ−１でＳＲＳの送信が指示され、送信タイミングが早いＣＣ＃２のサブフレームＮでＰＵＳＣＨの送信が指示される場合について示している。図８Ｂは、送信タイミングが遅いＣＣ＃１のサブフレームＮ−１でＰＵＳＣＨの送信が指示され、送信タイミングが早いＣＣ＃２のサブフレームＮでＳＲＳの送信が指示される場合について示している。図８Ａにおいては、ＣＣ＃１のサブフレームＮ−１に割り当てられたＳＲＳと、ＣＣ＃２のサブフレームＮに割り当てられたＰＵＳＣＨの前端部分とが重複する場合について示している。図８Ｂにおいては、ＣＣ＃１のサブフレームＮ−１に割り当てられたＰＵＳＣＨと、ＣＣ＃２のサブフレームＮに割り当てられたＳＲＳとが重複することはない。
【００４７】
図８Ａに示す送信タイミングが設定された場合のＵＥ動作として、図４に示すテーブルにおいては、セカンダリセル（ＳＣｅｌｌ）に割り当てられたＳＲＳに関し、１）送信を省略する内容（ＳＲＳ  ｄｒｏｐ）、２）パンクチャリングする内容（ＳＲＳ  ｐｕｎｃｔｕｒｅ）が定められている。また、セカンダリセル（ＳＣｅｌｌ）に割り当てられたＰＵＳＣＨに関し、３）レートマッチングする内容（ＰＵＳＣＨ  ｒａｔｅ  ｍａｔｃｈｉｎｇ）、４）パンクチャリングする内容（ＰＵＳＣＨ  ｐｕｎｃｔｕｒｅ）、５）送信を省略する内容（ＰＵＳＣＨ  ｄｒｏｐ）が定められている。これらのＵＥ動作は、図８に示すＣＣを用いてＣｏｎｔｉｇｕｏｕｓ  ＣＡが行われる場合に選択される。さらに、６）同時送信を許容する内容（同時送信）が定められている。このＵＥ動作は、図８に示すＣＣを用いてＮｏｎ‐Ｃｏｎｔｉｇｕｏｕｓ  ＣＡが行われる場合に選択される。
【００４８】
図８Ａに示すＣＣを用いてＣｏｎｔｉｇｕｏｕｓ  ＣＡが行われる場合を想定する。例えば、プライマリセル（ＰＣｅｌｌ）における送信タイミングが遅い場合（すなわち、ＣＣ＃１にプライマリセルが対応する場合）、本発明に係る無線通信方法においては、セカンダリセルに対応するＣＣ＃２のサブフレームＮのＰＵＳＣＨの前端部分におけるレートマッチングやパンクチャリング、或いは、ＰＵＳＣＨ自体の送信省略（ドロップ）を選択できる。一方、プライマリセル（ＰＣｅｌｌ）における送信タイミングが早い場合（すなわち、ＣＣ＃２にプライマリセルが対応する場合）には、セカンダリセルに対応するＣＣ＃１のサブフレームＮのＳＲＳ自体の送信省略（ドロップ）や、ＳＲＳのパンクチャリングを選択できる。これにより、プライマリセルとセカンダリセルとの間で送信タイミングが重複する部分に関して、プライマリセルにおけるＳＲＳ又はＰＵＳＣＨをそのまま送信する一方、セカンダリセルにおけるＳＲＳ又はＰＵＳＣＨを重複しないように制御することができ、確実に同時送信を回避することが可能となる。
【００４９】
なお、ここでは、セカンダリセル（ＳＣｅｌｌ）に割り当てられたＳＲＳ又はＰＵＳＣＨの送信を制御する場合について説明している。しかしながら、ＳＲＳ又はＰＵＳＣＨの送信を制御する際には、プライマリセル（ＰＣｅｌｌ）がどちらのＣＣに対応するか否かに関わらず、常にＳＲＳ又はＰＵＳＣＨの送信を制御するようにしてもよい。
【００５０】
一方、図８Ａに示すＣＣを用いてＮｏｎ‐Ｃｏｎｔｉｇｕｏｕｓ  ＣＡが行われる場合には、本発明に係る無線通信方法においては、ＣＣ＃１及びＣＣ＃２におけるＳＲＳ及びＰＵＳＣＨの同時送信を選択できる。なお、同時送信を行う場合において、ｍａｘ  ｐｏｗｅｒ  ｓｃａｌｉｎｇが必要となる場合における制御については、ＳＲＳ又はＰＵＳＣＨの送信電力が調整される。具体的には、ＳＲＳ又はＰＵＳＣＨのいずれかあるいは双方の送信電力を、最大送信電力を満たすように低減し、低減後の送信電力に合わせて各ＣＣにおけるサブフレーム内の送信電力を一定とする。このようにサブフレーム内の送信電力を一定とすることにより、同一サブフレーム内でｔｒａｎｓｉｅｎｔ  ｐｅｒｉｏｄが発生する事態を確実に防止できる。
【００５１】
次に、複数のＣＣのサブフレーム間でＰＲＡＣＨとＰＵＳＣＨとが重複する場合のＵＥ動作について説明する（図４に示す番号４（４Ａ、４Ｂ））。図９は、複数のＣＣ（ＣＣ＃１、ＣＣ＃２）のサブフレーム間でＰＲＡＣＨとＰＵＳＣＨとが重複する場合のＵＥ動作の説明図である。特に、図９Ａは、送信タイミングが遅いＣＣ＃１のサブフレームＮ−１でＰＲＡＣＨＳの送信が指示され、送信タイミングが早いＣＣ＃２のサブフレームＮでＰＵＳＣＨの送信が指示される場合について示している。図９Ｂは、送信タイミングが遅いＣＣ＃１のサブフレームＮ−１でＰＵＳＣＨの送信が指示され、送信タイミングが早いＣＣ＃２のサブフレームＮでＰＲＡＣＨの送信が指示される場合について示している。図９Ａにおいては、ＣＣ＃１のサブフレームＮ−１に割り当てられたＰＲＡＣＨの後端部分と、ＣＣ＃２のサブフレームＮに割り当てられたＰＵＳＣＨの前端部分とが重複する場合について示している。図９Ｂにおいては、ＣＣ＃１のサブフレームＮ−１に割り当てられたＰＵＳＣＨの後端部分と、ＣＣ＃２のサブフレームＮに割り当てられたＳＲＳの後端部分とが重複する場合について示している。
【００５２】
図９に示す送信タイミングが設定された場合のＵＥ動作として、図４に示すテーブルにおいては、セカンダリセル（ＳＣｅｌｌ）に割り当てられたＰＲＡＣＨに関し、１）送信を省略する内容（ＰＲＡＣＨ  ｄｒｏｐ）、２）パンクチャリングする内容（ＰＲＡＣＨ  ｐｕｎｃｔｕｒｅ）が定められている。また、セカンダリセル（ＳＣｅｌｌ）に割り当てられたＰＵＳＣＨに関し、３）レートマッチングする内容（ＰＵＳＣＨ  ｒａｔｅ  ｍａｔｃｈｉｎｇ）、４）パンクチャリングする内容（ＰＵＳＣＨ  ｐｕｎｃｔｕｒｅ）、５）送信を省略する内容（ＰＵＳＣＨ  ｄｒｏｐ）が定められている。これらのＵＥ動作は、図９に示すＣＣを用いてＣｏｎｔｉｇｕｏｕｓ  ＣＡが行われる場合に選択される。さらに、６）同時送信を許容する内容（同時送信）が定められている。このＵＥ動作は、図９に示すＣＣを用いてＮｏｎ‐Ｃｏｎｔｉｇｕｏｕｓ  ＣＡが行われる場合に選択される。
【００５３】
図９Ａに示すＣＣを用いてＣｏｎｔｉｇｕｏｕｓ  ＣＡが行われる場合を想定する。例えば、プライマリセル（ＰＣｅｌｌ）における送信タイミングが遅い場合（すなわち、ＣＣ＃１にプライマリセルが対応する場合）、本発明に係る無線通信方法においては、セカンダリセルに対応するＣＣ＃２のサブフレームＮのＰＵＳＣＨの前端部分におけるレートマッチングやパンクチャリング、或いは、ＰＵＳＣＨ自体の送信省略（ドロップ）を選択できる。一方、プライマリセル（ＰＣｅｌｌ）における送信タイミングが早い場合（すなわち、ＣＣ＃２にプライマリセルが対応する場合）には、セカンダリセルに対応するＣＣ＃１のサブフレームＮ−１のＰＲＡＣＨ自体の送信省略（ドロップ）や、ＰＲＡＣＨの後端部分におけるパンクチャリングを選択できる。
【００５４】
図９Ｂに示すＣＣを用いてＣｏｎｔｉｇｕｏｕｓ  ＣＡが行われる場合を想定する。例えば、プライマリセル（ＰＣｅｌｌ）における送信タイミングが遅い場合（すなわち、ＣＣ＃１にプライマリセルが対応する場合）、本発明に係る無線通信方法においては、セカンダリセルに対応するＣＣ＃２のサブフレームＮのＰＲＡＣＨ自体の送信省略（ドロップ）や、ＰＲＡＣＨの前端部分におけるパンクチャリングを選択できる。一方、プライマリセル（ＰＣｅｌｌ）における送信タイミングが早い場合（すなわち、ＣＣ＃２にプライマリセルが対応する場合）には、セカンダリセルに対応するＣＣ＃１のサブフレームＮ−１のＰＵＳＣＨの後端部分におけるレートマッチングやパンクチャリング、或いは、ＰＵＳＣＨ自体の送信省略（ドロップ）を選択できる。これにより、プライマリセルとセカンダリセルとの間で送信タイミングが重複する部分に関して、プライマリセルにおけるＰＲＡＣＨ又はＰＵＳＣＨをそのまま送信する一方、セカンダリセルにおけるＰＲＡＣＨ又はＰＵＳＣＨを重複しないように制御することができ、確実に同時送信を回避することが可能となる。
【００５５】
なお、ここでは、セカンダリセル（ＳＣｅｌｌ）に割り当てられたＰＲＡＣＨ又はＰＵＳＣＨの送信を制御する場合について説明している。しかしながら、ＰＲＡＣＨ又はＰＵＳＣＨの送信を制御する際には、プライマリセル（ＰＣｅｌｌ）がどちらのＣＣに対応するか否かに関わらず、常にＰＲＡＣＨ又はＰＵＳＣＨの送信を制御するようにしてもよい。
【００５６】
一方、図９に示すＣＣを用いてＮｏｎ‐Ｃｏｎｔｉｇｕｏｕｓ  ＣＡが行われる場合には、本発明に係る無線通信方法においては、ＣＣ＃１及びＣＣ＃２におけるＰＲＡＣＨ及びＰＵＳＣＨの同時送信を選択できる。なお、同時送信を行う場合において、ｍａｘ  ｐｏｗｅｒ  ｓｃａｌｉｎｇが必要となる場合における制御については、ＰＲＡＣＨ又はＰＵＳＣＨ、あるいは双方の送信電力が調整される。具体的には、ＰＲＡＣＨ又はＰＵＳＣＨの送信電力を、最大送信電力を満たすように低減し、低減後の送信電力に合わせてサブフレーム内の送信電力を一定とする。このようにサブフレーム内の送信電力を一定とすることにより、同一サブフレーム内でｔｒａｎｓｉｅｎｔ  ｐｅｒｉｏｄが発生する事態を確実に防止できる。
【００５７】
次に、複数のＣＣのサブフレーム間でＰＵＣＣＨとＳＲＳとが重複する場合のＵＥ動作について説明する（図４に示す番号５（５Ａ、５Ｂ））。図１０は、複数のＣＣ（ＣＣ＃１、ＣＣ＃２）のサブフレーム間でＰＵＣＣＨとＳＲＳとが重複する場合のＵＥ動作の説明図である。特に、図１０Ａは、送信タイミングが遅いＣＣ＃１のサブフレームＮ−１でＳＲＳの送信が指示され、送信タイミングが早いＣＣ＃２のサブフレームＮでＰＵＣＣＨの送信が指示される場合について示している。図１０Ｂは、送信タイミングが遅いＣＣ＃１のサブフレームＮ−１、ＮでＰＵＣＣＨの送信が指示され、送信タイミングが早いＣＣ＃２のサブフレームＮでＳＲＳの送信が指示される場合について示している。図１０Ａにおいては、ＣＣ＃１のサブフレームＮ−１に割り当てられたＳＲＳと、ＣＣ＃２のサブフレームＮに割り当てられたＰＵＣＣＨの前端部分とが重複する場合について示している。図１０Ｂにおいては、ＣＣ＃１のサブフレームＮに割り当てられたＰＵＣＣＨと、ＣＣ＃２のサブフレームＮに割り当てられたＳＲＳとが重複する場合について示している。
【００５８】
図１０に示す送信タイミングが設定された場合のＵＥ動作として、図４に示すテーブルにおいては、１）ＳＲＳの送信を省略する内容（ＳＲＳ  ｄｒｏｐ）が定められている。このＵＥ動作は、図１０に示すＣＣを用いてＣｏｎｔｉｇｕｏｕｓ  ＣＡが行われる場合に選択される。また、２）同時送信を許容する内容（同時送信）が定められている。このＵＥ動作は、図１０に示すＣＣを用いてＮｏｎ‐Ｃｏｎｔｉｇｕｏｕｓ  ＣＡが行われる場合に選択される。
【００５９】
図１０に示すＣＣを用いてＣｏｎｔｉｇｕｏｕｓ  ＣＡが行われる場合を想定する。例えば、図１０Ａに示すように、プライマリセル（ＰＣｅｌｌ）における送信タイミングが早い場合（すなわち、ＣＣ＃２にプライマリセルが対応する場合）、本発明に係る無線通信方法においては、セカンダリセルに対応するＣＣ＃１のサブフレームＮ−１のＳＲＳ自体の送信省略（ドロップ）を選択できる。これにより、プライマリセルとセカンダリセルとの間で送信タイミングが重複する部分に関して、プライマリセルにおけるＰＵＣＣＨをそのまま送信する一方、セカンダリセルにおけるＳＲＳを重複しないように制御することができ、確実に同時送信を回避することが可能となる。
【００６０】
同様に、図１０Ｂに示すように、プライマリセル（ＰＣｅｌｌ）における送信タイミングが遅い場合（すなわち、ＣＣ＃１にプライマリセルが対応する場合）、本発明に係る無線通信方法においては、セカンダリセルに対応するＣＣ＃２のサブフレームＮのＳＲＳ自体の送信省略（ドロップ）を選択できる。
【００６１】
従来、ＰＵＣＣＨとＳＲＳとの間の同時送信については、ＰＵＣＣＨにおける最終のシンボルを空けるフォーマット（ＰＵＣＣＨ  ｓｈｏｒｔｅｎｅｄ  ｆｏｒｍａｔ）を適用することで可能である。しかしながら、プライマリセル（ＰＣｅｌｌ）における送信タイミングが遅い場合には、ＰＵＣＣＨ  ｓｈｏｒｔｅｎｅｄ  ｆｏｒｍａｔの後端部分と、ＳＲＳとが重複し得る。本発明に係る無線通信方法においては、このような事態を考慮し、セカンダリセルに対応するＣＣ＃２のサブフレームＮのＳＲＳ自体の送信省略（ドロップ）を予め定めている。
【００６２】
一方、図１０に示すＣＣを用いてＮｏｎ‐Ｃｏｎｔｉｇｕｏｕｓ  ＣＡが行われる場合には、本発明に係る無線通信方法においては、ＣＣ＃１及びＣＣ＃２におけるＳＲＳ及びＰＵＣＣＨの同時送信を選択できる。なお、同時送信を行う場合において、ｍａｘ  ｐｏｗｅｒ  ｓｃａｌｉｎｇが必要となる場合における制御については、ＳＲＳの送信電力が調整される。具体的には、ＳＲＳの送信電力を最大送信電力を満たすように低減する。
【００６３】
次に、複数のＣＣのサブフレーム間でＰＵＣＣＨとＰＲＡＣＨとが重複する場合のＵＥ動作について説明する（図４に示す番号６）。図１１は、複数のＣＣ（ＣＣ＃１、ＣＣ＃２）のサブフレーム間でＰＵＣＣＨとＰＲＡＣＨとが重複する場合のＵＥ動作の説明図である。特に、図１１Ａは、送信タイミングが遅いＣＣ＃１のサブフレームＮ−１でＰＲＡＣＨの送信が指示され、送信タイミングが早いＣＣ＃２のサブフレームＮでＰＵＣＣＨの送信が指示される場合について示している。図１１Ｂは、送信タイミングが遅いＣＣ＃１のサブフレームＮ−１でＰＵＣＣＨの送信が指示され、送信タイミングが早いＣＣ＃２のサブフレームＮでＰＲＡＣＨの送信が指示される場合について示している。図１１Ａにおいては、ＣＣ＃１のサブフレームＮ−１に割り当てられたＰＲＡＣＨの後端部分と、ＣＣ＃２のサブフレームＮに割り当てられたＰＵＣＣＨの前端部分とが重複する場合について示している。図１１Ｂにおいては、ＣＣ＃１のサブフレームＮに割り当てられたＰＵＣＣＨの後端部分と、ＣＣ＃２のサブフレームＮに割り当てられたＰＲＡＣＨの前端部分とが重複する場合について示している。
【００６４】
図１１に示す送信タイミングが設定された場合のＵＥ動作として、図４に示すテーブルにおいては、ＰＲＡＣＨに関し、１）送信を省略する内容（ＰＲＡＣＨ  ｄｒｏｐ）、２）パンクチャリングする内容（ＰＲＡＣＨ  ｐｕｎｃｔｕｒｅ）が定められている。このＵＥ動作は、図１１に示すＣＣを用いてＣｏｎｔｉｇｕｏｕｓ  ＣＡが行われる場合に選択される。また、３）同時送信を許容する内容（同時送信）が定められている。このＵＥ動作は、図１１に示すＣＣを用いてＮｏｎ‐Ｃｏｎｔｉｇｕｏｕｓ  ＣＡが行われる場合に選択される。
【００６５】
図１１に示すＣＣを用いてＣｏｎｔｉｇｕｏｕｓ  ＣＡが行われる場合を想定する。例えば、図１１Ａに示すように、プライマリセル（ＰＣｅｌｌ）における送信タイミングが早い場合（すなわち、ＣＣ＃２にプライマリセルが対応する場合）、本発明に係る無線通信方法においては、セカンダリセルに対応するＣＣ＃２のサブフレームＮ−１のＰＲＡＣＨ自体の送信省略（ドロップ）、或いは、ＰＲＡＣＨの後端部分のパンクチャリングを選択できる。
【００６６】
同様に、図１１Ｂに示すように、プライマリセル（ＰＣｅｌｌ）における送信タイミングが遅い場合（すなわち、ＣＣ＃１にプライマリセルが対応する場合）、本発明に係る無線通信方法においては、セカンダリセルに対応するＣＣ＃２のサブフレームＮ−１のＰＲＡＣＨ自体の送信省略（ドロップ）、或いは、ＰＲＡＣＨの前端部分のパンクチャリングを選択できる。これにより、プライマリセルとセカンダリセルとの間で送信タイミングが重複する部分に関して、プライマリセルにおけるＰＵＣＣＨをそのまま送信する一方、セカンダリセルにおけるＰＲＡＣＨを重複しないように制御することができ、確実に同時送信を回避することが可能となる。
【００６７】
一方、図１１に示すＣＣを用いてＮｏｎ‐Ｃｏｎｔｉｇｕｏｕｓ  ＣＡが行われる場合には、本発明に係る無線通信方法においては、ＣＣ＃１及びＣＣ＃２におけるＰＲＡＣＨ及びＰＵＣＣＨの同時送信を選択できる。なお、同時送信を行う場合において、ｍａｘ  ｐｏｗｅｒ  ｓｃａｌｉｎｇが必要となる場合における制御については、ＰＲＡＣＨの送信電力を、最大送信電力を満たすように低減し、低減後の送信電力に合わせてサブフレーム内の送信電力を一定とする。このようにサブフレーム内の送信電力を一定とすることにより、同一サブフレーム内でｔｒａｎｓｉｅｎｔ  ｐｅｒｉｏｄが発生する事態を確実に防止できる。
【００６８】
次に、複数のＣＣのサブフレーム間でＳＲＳとＰＲＡＣＨとが重複する場合のＵＥ動作について説明する（図４に示す番号７（７Ａ、７Ｂ））。図１２は、複数のＣＣ（ＣＣ＃１、ＣＣ＃２）のサブフレーム間でＳＲＳとＰＲＡＣＨとが重複する場合のＵＥ動作の説明図である。特に、図１２Ａは、送信タイミングが遅いＣＣ＃１のサブフレームＮ−１でＳＲＳの送信が指示され、送信タイミングが早いＣＣ＃２のサブフレームＮでＰＲＡＣＨの送信が指示される場合について示している。図１２Ｂは、送信タイミングが遅いＣＣ＃１のサブフレームＮ−１でＰＲＡＣＨの送信が指示され、送信タイミングが早いＣＣ＃２のサブフレームＮでＳＲＳの送信が指示される場合について示している。図１２Ａにおいては、ＣＣ＃１のサブフレームＮ−１に割り当てられたＳＲＳと、ＣＣ＃２のサブフレームＮに割り当てられたＰＲＡＣＨの前端部分とが重複する場合について示している。図１２Ｂにおいては、ＣＣ＃１のサブフレームＮ−１に割り当てられたＰＲＡＣＨと、ＣＣ＃２のサブフレームＮに割り当てられたＳＲＳとが重複することはない。
【００６９】
図１２Ａに示す送信タイミングが設定された場合のＵＥ動作として、図４に示すテーブルにおいては、ＰＲＡＣＨに関し、１）送信を省略する内容（ＰＲＡＣＨ  ｄｒｏｐ）、２）パンクチャリングする内容（ＰＲＡＣＨ  ｐｕｎｃｔｕｒｅ）が定められている。また、３）ＳＲＳの送信を省略する内容（ＳＲＳ  ｄｒｏｐ）が定められている。これらのＵＥ動作は、図１２Ａに示すＣＣを用いてＣｏｎｔｉｇｕｏｕｓ  ＣＡが行われる場合に選択される。さらに、４）同時送信を許容する内容（同時送信）が定められている。このＵＥ動作は、図１２Ａに示すＣＣを用いてＮｏｎ‐Ｃｏｎｔｉｇｕｏｕｓ  ＣＡが行われる場合に選択される。
【００７０】
図１２Ａに示すＣＣを用いてＣｏｎｔｉｇｕｏｕｓ  ＣＡが行われる場合を想定する。この場合、本発明に係る無線通信方法においては、プライマリセルがいずれのＣＣに対応するかに関わらず、常にＣＣ＃２のサブフレームＮのＰＲＡＣＨ自体の送信省略（ドロップ）、或いは、ＰＲＡＣＨの前端部分におけるパンクチャリングを選択できる。また、本発明に係る無線通信方法においては、プライマリセルがいずれのＣＣに対応するかに関わらず、常にＣＣ＃１のサブフレームＮ−１のＳＲＳ自体の送信省略（ドロップ）を選択できる。これにより、プライマリセルとセカンダリセルとの間で送信タイミングが重複する部分に関して、ＰＲＡＣＨ又はＳＲＳを重複しないように制御することができ、確実に同時送信を回避することが可能となる。
【００７１】
一方、図１２Ａに示すＣＣを用いてＮｏｎ‐Ｃｏｎｔｉｇｕｏｕｓ  ＣＡが行われる場合には、本発明に係る無線通信方法においては、ＣＣ＃１及びＣＣ＃２におけるＳＲＳ及びＰＲＡＣＨの同時送信を選択できる。なお、同時送信を行う場合において、ｍａｘ  ｐｏｗｅｒ  ｓｃａｌｉｎｇが必要となる場合における制御については、ＳＲＳ又はＰＲＡＣＨの送信電力が調整される。具体的には、ＳＲＳ又はＰＲＡＣＨ、あるいは双方の送信電力を、最大送信電力を満たすように低減する。
【００７２】
なお、早い送信タイミングが設定されるＣＣ、および遅い送信タイミングが設定されるＣＣの情報に関しては、送信したＴＡ情報などに基づいてネットワークＮＷ側で推定してもよいし、あるいはユーザ端末ＵＥが上位レイヤシグナリングでネットワークＮＷ側に報告してもよい。
【００７３】
次に、上述した無線通信方法が適用される無線基地局装置（基地局装置）及び移動局装置（移動局）の実施例について説明する。以下、ＬＴＥ及びＬＴＥ−Ａを対象とした無線アクセスシステムを例に説明するが、それ以外のシステムへの適用を制限するものではない。
【００７４】
図１３は、本発明に係る無線通信方法が適用される無線通信システムの構成の説明図である。図１３に示すように、無線通信システム１０００は、ＬＴＥシステムをベースとしており、無線基地局装置（基地局装置）２００と、基地局装置２００と通信する複数の移動端末装置１００（１００１、１００２、１００３、・・・１００ｎ、ｎはｎ＞０の整数）とを備える。基地局装置２００は、上位局、例えばアクセスゲートウェイ装置３００と接続され、アクセスゲートウェイ装置３００は、コアネットワーク４００と接続される。移動端末装置１００ｎはセル５０において基地局装置２００とＬＴＥにより通信を行っている。尚、前記アクセスゲートウェイ装置３００は、ＭＭＥ／ＳＧＷ  (Mobility  Management  Entity/Serving  Gateway)と呼ばれてもよい。
【００７５】
各移動端末装置（１００１、１００２、１００３、・・・１００ｎ）は、同一の構成、機能及び状態を有するので、以下においては特段の断りがない限り移動端末装置１００ｎとして説明を進める。なお、説明の便宜上、基地局装置と無線通信するのは移動端末装置であるが、より一般的には移動端末も固定端末も含むユーザ装置（ＵＥ：User  Equipment）でよい。
【００７６】
無線通信システム１０００では、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用される。上述したように、ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００７７】
ここで、ＬＴＥシステムにおける通信チャネルについて説明する。下りリンクについては、リファレンス・シグナルと、各移動端末装置１００ｎで共有される物理下りリンク共有チャネル（ＰＤＳＣＨ）と、物理下りリンク制御チャネル(下りＬ１／Ｌ２制御チャネル)とが用いられる。リファレンス・シグナルにより、ＣＲＳ、ＣＳＩ−ＲＳ及びＤＭ−ＲＳが伝送される。物理下りリンク共有チャネルにより、ユーザデータの信号が伝送される。物理下りリンク制御チャネルにより、ＤＭ−ＲＳ系列情報、スケジューリング情報、物理下りリンク共有チャネルを用いて通信を行うユーザＩＤや、そのユーザデータのトランスポートフォーマットの情報（すなわち、Downlink  Scheduling  Information）、並びに、物理上りリンク共有チャネルを用いて通信を行うユーザＩＤや、そのユーザデータのトランスポートフォーマットの情報（すなわち、Uplink  Scheduling  Grant）などが通知される。
【００７８】
また、下りリンクにおいては、Physical−Broadcast  Channel（Ｐ−ＢＣＨ）やDynamic  Broadcast  Channel（Ｄ−ＢＣＨ）等の報知チャネルが送信される。Ｐ−ＢＣＨにより伝送される情報は、Master  Information  Block（ＭＩＢ）であり、Ｄ−ＢＣＨにより伝送される情報は、System  Information  Block（ＳＩＢ）である。Ｄ−ＢＣＨは、ＰＤＳＣＨにマッピングされて、基地局装置２００より移動端末装置１００ｎに伝送される。
【００７９】
上りリンクについては、各移動端末装置１００で共有して使用される物理上りリンク共有チャネル（ＰＵＳＣＨ）と、上りリンクの制御チャネルである物理上りリンク制御チャネル（ＰＵＣＣＨ）とが用いられる。物理上りリンク共有チャネルによりユーザデータが伝送される。物理上りリンク制御チャネルにより、下りリンクＭＩＭＯ伝送のためのプリコーディング情報、下りリンクの共有チャネルに対する送達確認情報や、下りリンクの無線品質情報（ＣＱＩ:Channel  Quality  Indicator）等が伝送される。なお、ＰＵＳＣＨは、上りリンクデータチャネル信号と呼ぶことができ、ＰＵＣＣＨは、上りリンク制御チャネル信号と呼ぶことができる。
【００８０】
また、上りリンクにおいては、初期接続等のための物理ランダムアクセスチャネル（ＰＲＡＣＨ）が定義されている。移動端末装置１００は、ＰＲＡＣＨにおいて、ランダムアクセスプリアンブルを送信する。ＰＲＡＣＨは、ランダムアクセスチャネル信号と呼ぶことができる。
【００８１】
図１４は、本発明の実施の形態に係る無線基地局装置の概略構成を示すブロック図である。図１４に示す無線基地局装置２００は、アンテナ２０２と、アンプ部２０４と、送受信部２０６と、ベースバンド信号処理部２０８と、呼処理部２１０と、伝送路インタフェース２１２とから主に構成されている。
【００８２】
このような構成の無線基地局装置２００において、上りリンクのデータについては、アンテナ２０２で受信された無線周波数信号がアンプ部２０４で、ＡＧＣ（Auto  Gain  Control）の下で受信電力が一定電力に補正されるように増幅される。増幅された無線周波数信号は、送受信部２０６においてベースバンド信号へ周波数変換される。このベースバンド信号は、ベースバンド信号処理部２０８で所定の処理（誤り訂正、復号など）がなされた後、伝送路インタフェース２１２を介して上位局装置３００に転送される。呼処理部２１０は、上位局装置３００の無線制御局との間で呼処理制御信号を送受信し、無線基地局装置２００の状態管理やリソース割り当てをする。
【００８３】
下りリンクのデータについては、上位局装置３００から伝送路インタフェース２１２を介してベースバンド信号処理部２０８に入力される。ベースバンド信号処理部２０８では、再送制御の処理、スケジューリング、伝送フォーマット選択、チャネル符号化などがなされて送受信部２０６に転送される。送受信部２０６では、ベースバンド信号処理部２０８から出力されたベースバンド信号を無線周波数信号へ周波数変換する。周波数変換された信号は、その後、アンプ部２０４で増幅されてアンテナ２０２から送信される。
【００８４】
図１５は、図１４に示す無線基地局装置２００におけるベースバンド信号処理部２０８の構成を示すブロック図である。ベースバンド信号処理部２０８は、レイヤ１処理部２０８１と、ＭＡＣ（Medium  Access  Control）処理部２０８２と、ＲＬＣ（Radio  Link  Control）処理部２０８３と、ＴＡ設定部２０８４とから主に構成されている。
【００８５】
レイヤ１処理部２０８１は、主に物理レイヤに関する処理を行う。レイヤ１処理部２０８１は、例えば、上りリンクで受信した信号に対して、チャネル復号化、離散フーリエ変換（ＤＦＴ：Discrete  Fourier  Transform）、周波数デマッピング、逆フーリエ変換（ＩＦＦＴ：Inverse  Fast  Fourier  Transform）、データ復調などの処理を行う。また、レイヤ１処理部２０８１は、下りリンクで送信する信号に対して、チャネル符号化、データ変調、周波数マッピング、逆フーリエ変換（ＩＦＦＴ）などの処理を行う。
【００８６】
ＭＡＣ処理部２０８２は、上りリンクで受信した信号に対するＭＡＣレイヤでの再送制御、上りリンク／下りリンクに対するスケジューリング、ＰＵＳＣＨ／ＰＤＳＣＨの伝送フォーマットの選択、ＰＵＳＣＨ／ＰＤＳＣＨのリソースブロックの選択などの処理を行う。
【００８７】
ＲＬＣ処理部２０８３は、上りリンクで受信したパケット／下りリンクで送信するパケットに対して、パケットの分割、パケットの結合、ＲＬＣレイヤでの再送制御などを行う。
【００８８】
ＴＡ設定部２０８４は、複数のＣＣ分のＴＡ（Timing  Advance）を設定したコマンドを（ＴＡコマンド）を生成する。そして、ＴＡ設定部２０８４は、生成したＴＡコマンドをレイヤ１処理部２０８１に通知する。レイヤ１処理部２０８１においては、レイヤ１処理部２０８１から通知されたＴＡコマンドを物理レイヤで移動端末装置１００に送信するための処理を行う。
【００８９】
図１６は、本発明の実施の形態に係る移動端末装置１００の概略構成を示すブロック図である。図１６に示す移動端末装置１００は、アンテナ１０２と、アンプ部１０４と、送受信部１０６と、ベースバンド信号処理部１０８と、呼処理部１１０と、アプリケーション部１１２とから主に構成されている。
【００９０】
このような構成の移動端末装置１００において、下りリンクのデータについては、アンテナ１０２で受信された無線周波数信号がアンプ部１０４で、ＡＧＣの下で受信電力が一定電力に補正されるように増幅される。増幅された無線周波数信号は、送受信部１０６においてベースバンド信号へ周波数変換される。このベースバンド信号は、ベースバンド信号処理部１０８で所定の処理（誤り訂正、復号など）がなされた後、呼処理部１１０及びアプリケーション部１１２に送られる。呼処理部１１０は、無線基地局装置１００との通信の管理などを行い、アプリケーション部１１２は、物理レイヤやＭＡＣレイヤより上位のレイヤに関する処理などを行う。
【００９１】
上りリンクのデータについては、アプリケーション部１１２からベースバンド信号処理部１０８に入力される。ベースバンド信号処理部１０８では、再送制御の処理、スケジューリング、伝送フォーマット選択、チャネル符号化などがなされて送受信部１０６に転送される。送受信部１０６では、ベースバンド信号処理部１０８から出力されたベースバンド信号を無線周波数信号へ周波数変換する。周波数変換された信号は、その後、アンプ部１０４で増幅されてアンテナ１０２から送信される。
【００９２】
図１７は、図１６に示す移動端末装置１００におけるベースバンド信号処理部１０８の構成を示すブロック図である。ベースバンド信号処理部１０８は、レイヤ１処理部１０８１と、ＭＡＣ処理部１０８２と、ＲＬＣ処理部１０８３と、ＴＡ受信部１０８４と、送信タイミング差指示部１０８５と、送信判定部１０８６とから主に構成されている。ＴＡ受信部１０８４は、請求の範囲における受信部を構成し、送信判定部１０８６は、請求の範囲における判定部を構成する。
【００９３】
レイヤ１処理部１０８１は、主に物理レイヤに関する処理を行う。レイヤ１処理部１０８１は、例えば、下りリンクで受信した信号に対して、チャネル復号化、離散フーリエ変換、周波数デマッピング、逆フーリエ変換、データ復調などの処理を行う。また、レイヤ１処理部１０８１は、上りリンクで送信する信号に対して、チャネル符号化、データ変調、周波数マッピング、逆フーリエ変換（ＩＦＦＴ）などの処理を行う。
【００９４】
ＭＡＣ処理部１０８２は、下りリンクで受信した信号に対するＭＡＣレイヤでの再送制御（ＨＡＲＱ）、下りスケジューリング情報の解析（ＰＤＳＣＨの伝送フォーマットの特定、ＰＤＳＣＨのリソースブロックの特定）などを行う。また、ＭＡＣ処理部１０８２は、上りリンクで送信する信号に対するＭＡＣ再送制御、上りスケジューリング情報の解析（ＰＵＳＣＨの伝送フォーマットの特定、ＰＵＳＣＨのリソースブロックの特定）などの処理を行う。
【００９５】
ＲＬＣ処理部１０８３は、下りリンクで受信したパケット／上りリンクで送信するパケットに対して、パケットの分割、パケットの結合、ＲＬＣレイヤでの再送制御などを行う。
【００９６】
ＴＡ受信部１０８４は、無線基地局装置２００から、複数のＣＣ分のＴＡ（Timing  Advance）コマンドを受信し、これらのＴＡコマンドから各ＣＣにおける上りリンク信号の送信タイミング情報を検出する。そして、ＴＡ受信部１０８４は、検出した上りリンク信号の送信タイミング情報を送信タイミング差指示部１０８５に通知する。
【００９７】
送信タイミング差指示部１０８５は、ＴＡ受信部１０８４から通知された複数のＴＡに基づいて、各ＣＣの送信タイミングを設定し、いずれのＣＣにおける上りリンク信号の送信タイミングが早いか、遅いかを判定する。そして、送信タイミング差指示部１０８５は、その判定結果を送信判定部１０８６に通知する。
【００９８】
送信判定部１０８６は、送信タイミング差指示部１０８５から通知されたタイミング情報、並びに、ＣＣ毎の送信信号情報、同時送信の可否情報（Ｃｏｎｔｉｇｕｏｕｓ送信か、Ｎｏｎ‐Ｃｏｎｔｉｇｕｏｕｓ送信か）などの情報に基づいて、図４に示すテーブルに定められた内容に従って送信の有無又は送信すべき信号を判定する。そして、送信判定部１０８６は、その判定結果をレイヤ１処理部１０８１に通知する。
【００９９】
特に、送信判定部１０８６は、連続する複数のＣＣを用いた通信（Ｃｏｎｔｉｇｕｏｕｓ送信）が行われる場合、上りリンク信号の送信タイミングの差が存在すると、上りリンク信号の同時送信を回避する。一方、不連続の複数のコンポーネントキャリアを用いた通信（Ｎｏｎ‐Ｃｏｎｔｉｇｕｏｕｓ送信）が行われる場合、上りリンク信号の送信タイミングの差が存在しても、上りリンク信号の同時送信を許容する。
【０１００】
このように、移動端末装置１００においては、無線基地局装置２００から、複数のＣＣリアで上りリンク信号の異なる送信タイミング情報を受信すると、Ｃｏｎｔｉｇｕｏｕｓ送信又はＮｏｎ‐Ｃｏｎｔｉｇｕｏｕｓ送信が行われるかを判定する。そして、Ｃｏｎｔｉｇｕｏｕｓ送信が行われる場合には上りリンク信号の同時送信を回避する。これにより、複数のコンポーネントキャリアにて異なる送信タイミングで上りリンク信号の送信が指示される場合であっても、ユーザ端末の安定した動作を確保することができる。一方、Ｎｏｎ‐Ｃｏｎｔｉｇｕｏｕｓ送信が行われる場合には上りリンク信号の同時送信を許容する。これにより、上りリンクにおけるスループット特性を向上することができる。
【０１０１】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０２】
１００  移動端末装置
１０２，２０２  アンテナ
１０４，２０４  アンプ部
１０６，２０６  送受信部
１０８，２０８  ベースバンド信号処理部
１１０，２１０  呼処理部
１１２  アプリケーション部
２００  無線基地局装置（基地局装置）
２１２  伝送路インタフェース
１０８１，２０８１  レイヤ１処理部
１０８２，２０８２  ＭＡＣ処理部
１０８３，２０８３  ＲＬＣ処理部
１０８４  ＴＡ受信部
１０８５  送信タイミング差指示部
１０８６  送信判定部
２０８４  ＴＡ設定部
【図１】
0006019199.tif 000002
【図２】
0006019199.tif 000003
【図３】
0006019199.tif 000004
【図４】
0006019199.tif 000005
【図５】
0006019199.tif 000006
【図６】
0006019199.tif 000007
【図７】
0006019199.tif 000008
【図８】
0006019199.tif 000009
【図９】
0006019199.tif 000010
【図１０】
0006019199.tif 000011
【図１１】
0006019199.tif 000012
【図１２】
0006019199.tif 000013
【図１３】
0006019199.tif 000014
【図１４】
0006019199.tif 000015
【図１５】
0006019199.tif 000016
【図１６】
0006019199.tif 000017
【図１７】
0006019199.tif 000018